(57)【要約】【課題】簡易にフィットテストを行えて、低コストで製造できる使い捨てマスクを提供する。【解決手段】使い捨てマスク１は、人体の少なくとも鼻及び口を覆うように装着されるろ過部５を備えたマスク本体部２と、ろ過部５の略全面を被覆して、人体に装着したマスク本体部２の密着状態を確認する陰圧式フィットテストに用いられるテスト用被覆部材４とを備え、テスト用被覆部材４は、マスク本体部２に装着された状態において、マスク本体部２を略気密状態とするように構成され、マスク本体部２から離脱させることができるように構成されている。【選択図】図１
2015096161.tif 000002
【特許請求の範囲】
【請求項１】
人体の少なくとも鼻及び口を覆うように装着されるろ過部を備えたマスク本体部と、
前記ろ過部の略全面を被覆して、前記人体に装着した前記マスク本体部の密着状態を確認する陰圧式フィットテストに用いられるテスト用被覆部材とを備えた使い捨てマスクであって、
前記テスト用被覆部材は、
前記マスク本体部に装着された状態において、前記マスク本体部を略気密状態とするように構成され、
前記マスク本体部から離脱させることができるように構成されたことを特徴とする使い捨てマスク。
【請求項２】
前記テスト用被覆部材は、フィルム状の部材にて前記ろ過部の略全面を被覆するように構成されていることを特徴とする請求項１に記載の使い捨てマスク。
【請求項３】
前記マスク本体部は、略カップ状に形成されていることを特徴とする請求項１又は２に記載の使い捨てマスク
【発明の詳細な説明】
【技術分野】
【０００１】
本発明は、人体に有害な種々の物質を装着者が吸気することを防ぐために使用される使い捨てマスクに関する。
【背景技術】
【０００２】
従来、溶接や石材加工の現場等において浮遊する人体に有害な粉塵や、医療現場におけるウィルス等の飛沫等を、作業者や医療従事者が吸気する事態を防ぐため、各種の防護用のマスクが用いられる。このマスクは、使用される前に、装着者が顔面に装着した状態で、マスクと顔面との密着性を確認するためのフィットテストが行われることが多い。このフィットテストの方法としては、例えば、マスクを装着した装着者が、頭部にフードを被り、フードの内部に味覚を刺激する物質（例えばサッカリン）を含有するスプレーを噴射して、装着者がスプレーの味を感じるか否かで確認する方法が知られている（例えば、非特許文献１参照）。また、装着者が装着したマスクの外部から、気密性を有するフィットテストマスク本体部に弁体が設けられたフィットテストマスクをさらに装着し、この状態で装着者が吸気して、マスクを装着した装着者が空気の漏洩の有無を装着者の顔面の皮膚で体感する態様の、陰圧式のフィットテスト方法及びフィットテストの装置も知られている（例えば、特許文献１参照）。
【先行技術文献】
【非特許文献】
【０００３】
【非特許文献１】『マスクフィッテイングテスター  フィットテストキット  ＦＴ−１０』（http://www.japan-medical-partners.jp/item_masktest.html）
【特許文献】
【０００４】
【特許文献１】特開２０００−８４０９９号公報
【発明の概要】
【発明が解決しようとする課題】
【０００５】
しかし、上記非特許文献１に記載の方法及び装置によれば、フードやスプレー用機器が必要になり、フィットテストに用いる機器が大がかりになり、テストが煩雑になるという問題がある。また、上記特許文献１の機器は、マスクの外側に弁体を備えたフィットテスト用マスクを装着することが必要になる。そのため、使い捨てマスクのような低価格のマスクに装着すると、マスクの販売価格が高くなってしまうため、適用が不向きであるという問題がある。
【０００６】
本発明はこのような問題に鑑みてなされたものであり、簡易にフィットテストを行えて、低コストで製造できる使い捨てマスクを提供することを課題としている。
【課題を解決するための手段】
【０００７】
かかる課題を達成するために、この発明が特徴とするのは、人体の少なくとも鼻及び口を覆うように装着されるろ過部を備えたマスク本体部と、前記ろ過部の略全面を被覆して、前記人体に装着した前記マスク本体部の密着状態を確認する陰圧式フィットテストに用いられるテスト用被覆部材とを備えた使い捨てマスクであって、前記テスト用被覆部材は、前記マスク本体部に装着された状態において、前記マスク本体部を略気密状態とするように構成され、前記マスク本体部から離脱させることができるように構成されたことである。
【０００８】
この発明の好ましい実施形態の一つにおいて、前記テスト用被覆部材は、フィルム状の部材にて前記ろ過部の略全面を被覆するように構成されていることである。
【０００９】
この発明の好ましい実施形態の更に他の一つにおいて、前記マスク本体部は、略カップ状に形成されていることである。
【発明の効果】
【００１０】
この発明に係る使い捨てマスクでは、ろ過部の略全面を、マスク本体部に装着された状態でマスク本体部を略気密状態とするテスト用被覆部材で被覆したことにより、装着者が使い捨てマスクを顔面に装着すれば、直ちに陰圧式フィットテストを行って、装着状態を簡易に確認することができる。また、テスト用被覆部材は、ろ過部の略全面を被覆する部材で形成されるので、テスト用被覆部材をコストの低い材質で形成し、使い捨てマスクの製造コスト高騰を抑止できる。さらに、テスト用被覆部材をマスク本体部から離脱させることができるので、装着者はフィットテストが完了した状態でテスト用被覆部材をマスク本体部から離脱させてただちに使い捨てマスクを使用できる。これにより、簡易にフィットテストを行えて、低コストで製造できる使い捨てマスクを提供することができる。
【００１１】
また、テスト用被覆部材は、フィルム状の部材にてろ過部の略全面を被覆するように構成されていることにより、テスト用被覆部材を低コストの材質で形成し、簡易な工程で、ろ過部をテスト用被覆部材によって被覆することができる。これにより、より低コストで製造できる使い捨てマスクを提供することができる。
【００１２】
また、マスク本体部は、略カップ状に形成されていることにより、テスト用被覆部材によって被覆する面を凹凸の少ない形状に形成し、マスク本体部の略全面を、テスト用被覆部材によって容易に被覆できる。これにより、フィットテストを確実に行うことができる。
【図面の簡単な説明】
【００１３】
【図１】この発明の実施の形態に係る使い捨てマスクの正面図である。
【図２】同上の使い捨てマスクのＡ−Ａ断面図である。
【図３】同上の使い捨てマスクの使用手順を示すフローチャートである。
【図４】同上の使い捨てマスクを、装着者が装着した状態を示す図である。
【発明を実施するための形態】
【００１４】
図１乃至図４に、この発明の実施の形態を示す。
【００１５】
まず構成を説明すると、図１に示す、この実施の形態の使い捨てマスク１は、一回のみ使用される使い捨て式の防護用のマスクである。この使い捨てマスク１は、溶接や石材加工の現場の作業者が用いる防護マスクや、医療現場の医療従事者が用いる医療用マスクとして用いられる。
【００１６】
図１に示す通り、この使い捨てマスク１は、マスク本体部２と、一対の紐３ａ，３ｂと、テスト用被覆部材４とを有している。
【００１７】
マスク本体部２は、略カップ状に形成されている。即ち、マスク本体部２は、図２に示すように、略カップ状のろ過部５と、このろ過部５の周縁部分の略全域から内側に突設された接顔部６とを備えている。
【００１８】
ろ過部５は、略カップ状に湾曲した状態に形成されており、人体、ここでは装着者２０（図４参照）の顔面、に装着した時に、装着者２０の鼻と口及びその周辺部分を覆うように形成されている。
【００１９】
ろ過部５は、図２の拡大図に示す通り、フィルタ等が５層に積層されて、空気のろ過を行うと共にろ過部５の湾曲した形状を維持するように形成されている。具体的には、大きな粉塵を分離するプレフィルタ５ａ、細かい粉塵を分離するメインフィルタ５ｂ，５ｃ、ろ過部５の立体形状を保持する保形ネット５ｄ、主として装着者２０の呼気の水分を吸水してマスク本体部２の内部での結露を防止する結露防止フィルタ５ｅから成る。但し、ろ過部５は、これらのフィルタ等５ａ〜５ｅ以外の構成（例えばプレフィルタ５ａ、メインフィルタ５ｂ，５ｃ、結露防止フィルタ５ｅ以外のフィルタ）を備えていてもよいし、これらのフィルタ等５ａ〜５ｅのうちの一部の構成を含まないものであってもよい。
【００２０】
接顔部６は、フェルトや不織布等の材質で形成されている。接顔部６の面部分は、人の顔面の凹凸に対応した立体形状に形成されている。即ち、たとえば装着者２０の鼻が当接する上端部７は鼻の隆起に沿った凹状に形成され、装着者２０の頬が当接する側面部８は頬の湾曲に沿った弧状に形成されている。これにより、装着者２０が使い捨てマスク１を装着したとき、接顔部６が装着者２０の顔面の鼻と口の周囲部分に密着するようになっている。
【００２１】
図１に示すように、マスク本体部２の両側部には、それぞれ、紐連結部９ａ，９ｂ、紐連結部１０ａ，１０ｂが設けられている。これら紐連結部９ａ，９ｂ，１０ａ，１０ｂは、ポリプロピレン等の剛性の高い樹脂によって形成されている。紐連結部９ａ，９ｂ、紐連結部１０ａ，１０ｂは、紐通し用の孔部（図示せず）とこの孔部（図示せず）に挿通された紐を固定するためのストッパー（図示せず）を有する。この実施の形態においては、紐連結部９ａ，９ｂ、紐連結部１０ａ，１０ｂは、孔部（図示せず）とストッパー（図示せず）とにより、紐３ａ，３ｂの係止位置を移動自在とする、長さ調節機能を有する。但し、紐連結部９ａ，９ｂ、紐連結部１０ａ，１０ｂが紐３ａ，３ｂの長さ調節機能を有していなくてもよい。
【００２２】
上側の紐連結部９ａ，１０ａには紐３ａが、下側の紐連結部９ｂ，１０ｂとには紐３ｂが、それぞれ連結されている。紐３ａ，３ｂは、それぞれ伸縮可能なゴム紐にて形成されている。紐３ａ，３ｂの両端部は、紐連結部９ａ，１０ａ、紐連結部９ｂ，１０ｂの孔部（図示せず）に挿通され、ストッパー（図示せず）によって固定されている。なお、紐３ａの両端部が紐連結部９ａ，９ｂに、紐３ｂの両端部が紐連結部１０ａ，１０ｂに連結されて、いわゆる耳かけ式の使い捨てマスク１となっていてもよい。
【００２３】
図１及び図２に示すように、マスク本体部２のろ過部５の表面にはテスト用被覆部材４が配設されている。後述する通り、このテスト用被覆部材４は、マスク本体部２の、装着者２０の顔面への密着状態を確認するために用いられる。
【００２４】
このテスト用被覆部材４は、気密性のある部材、例えばポリエチレンやポリプロピレン等によって形成されたフィルム状の部材である。なお、テスト用被覆部材４の材質及び厚さは、使い捨てマスク１の形状、構造や、フィットテストにおいてろ過部５を略気密状態に保つことのできるものとして、適宜定めることができる。
【００２５】
テスト用被覆部材４は、ろ過部５の表面の略全域を被覆している。これにより、マスク本体部２は、装着者２０が装着した際に略気密状態となり、装着者２０が呼吸をしても、ろ過部５を介して外部と内部を通気させることができなくなる。
【００２６】
なお、テスト用被覆部材４は、マスク本体部２が略気密状態になる態様であれば、ろ過部５の略全面でなく、ろ過部５の一部分のみを覆う構成であってもよい。例えば、図１に示す状態において、ろ過部５の略中央部分の、ろ過部５の表面の大部分にテスト用被覆部材４を配設し、ろ過部５の周縁部分にテスト用被覆部材４を設けない構成であってもよい。また、テスト用被覆部材４は、ろ過部５を略気密状態に保てるものであれば、フィルム以外の材質（例えばゴム、布地、不織布など）であってもよいし、フィルム状以外の形態（例えば、硬質樹脂製のカバー状の形態など）であってもよい。
【００２７】
この実施の形態において、テスト用被覆部材４は、図１に示す正面視の状態において、マスク本体部２の周縁部分に沿って接着されている。ただし、接着以外の如何なる態様（例えばテスト用被覆部材４の略全面を接着する構成や、テスト用被覆部材４の周縁部分をマスク本体部２の周縁部における、ろ過部５と接顔部６の間に挟み込む構成）であってもよい。
【００２８】
テスト用被覆部材４は、ろ過部５から剥離させて離脱させることが可能に形成されている。また、テスト用被覆部材４は、ろ過部５から容易に離脱できるように構成されていることが好ましい。
【００２９】
この実施の形態においては、装着者２０が、テスト用被覆部材４の外側に突出した離脱用つまみ１１を指で把持して引き下ろすことで、テスト用被覆部材４がろ過部５から離脱できるように構成されている。
【００３０】
テスト用被覆部材４には、テスト用被覆部材４の配設状態や使用方法を装着者２０に知らせるための各種構成が備わっていてもよい。例えば、テスト用被覆部材４が配設されていることを装着者２０に知らせるための文字や図等がテスト用被覆部材４の表面に記載されていてもよい。また例えば、テスト用被覆部材４を用いたフィットテストの方法や、フィットテストの終了後にテスト用被覆部材４をマスク本体部２から離脱させる方法等を示す文字や図等がテスト用被覆部材４の表面に記載されていてもよい。
【００３１】
なお、テスト用被覆部材４をろ過部５から容易に離脱させるための構成は、離脱用つまみ１１に替えて、他の如何なるものであってもよい。具体的には、例えば、テスト用被覆部材４の一部に皺が設けられ、装着者がこの皺を把持して引き上げることでテスト用被覆部材４をろ過部５から剥離させて離脱させるように構成されてもよい。また例えば、テスト用被覆部材４の一部（例えばテスト用被覆部材４の、ろ過部５の周縁部近傍に位置する部分に沿って）ミシン目が設けられ、このミシン目からテスト用被覆部材４を容易に切り取れるように構成されてもよい。
【００３２】
次に、図３に示すフローチャートに基づいて、この実施の形態の使い捨てマスク１の使用手順について説明する。
【００３３】
まず装着者２０は、使い捨てマスク１を顔面に装着する（ステップＳ１）。具体的には、接顔部６の上端部７を鼻の隆起に合わせ、側面部８を頬の湾曲に合わせて顔面に当接させ、紐３ａ，３ｂを頭部の周囲にかけ渡して、使い捨てマスクを顔面に装着する。
【００３４】
次に、装着者２０は、使い捨てマスク１のフィットテストを行う（ステップＳ２）。具体的には、図４に示すように、装着者２０は使い捨てマスク１を顔面に装着した状態のまま、息を吸って陰圧式フィットテストを行う。なお、このとき、装着者２０が使い捨てマスク１を手で顔面方向に軽く押圧した状態で、陰圧式フィットテストを行ってもよい。
【００３５】
もし、このフィットテストを行ったとき、矢印Ａ，Ｂ，Ｃ，Ｄに示すように、ろ過部５と顔面の接合部分からろ過部５の内部に空気の流入があれば、使い捨てマスク１は正しく装着されていないことになる。装着者２０は、このようなろ過部５の内部への空気の流入状態を体感（例えば、顔面における空気の流れる触感や、空気の流れる音など）によって確認することで、使い捨てマスク１の装着状態の良否を検知する。あるいは、装着者２０は、息を吸ったときにろ過部５が陰圧によって内側につぶれる状態を視覚により確認することで、使い捨てマスク１の装着状態の良否を検知する。
【００３６】
フィットテストの結果、ろ過部５の内部への空気の流入があり、装着状態が不良であることが検知された場合（ステップＳ３の“Ｎｏ”）、装着者２０は、紐連結部９ａ，９ｂ、紐連結部１０ａ，１０ｂにおける紐３ａ，３ｂの係止位置を移動させて紐３ａ，３ｂの長さ調節を行うなどして、使い捨てマスク１の装着状態を修正する（ステップＳ４）。そののち、装着者２０は、再度フィットテストを行う（ステップＳ２）。
【００３７】
一方、フィットテストの結果、ろ過部５の内部への空気の流入がなく、装着状態が良好であることが検知された場合（ステップＳ３の“Ｙｅｓ”）、装着者２０は離脱用つまみ１１を把持して引き下ろし、テスト用被覆部材４をろ過部５から剥離させて離脱させる（ステップＳ５）。そして、装着者２０は使い捨てマスク１をマスクとして使用して各種作業を行う（ステップＳ６）。
【００３８】
このように、この実施の形態の使い捨てマスク１は、ろ過部５の略全面を、マスク本体部２に装着された状態でマスク本体部２を略気密状態とするテスト用被覆部材４で被覆したことにより、装着者２０が使い捨てマスク１を顔面に装着すれば、直ちに陰圧式フィットテストを行って、装着状態を簡易に確認することができる。また、テスト用被覆部材４は、ろ過部５の略全面を被覆する部材で形成されるので、テスト用被覆部材４をコストの低い材質で形成し、使い捨てマスクの製造コスト高騰を抑止できる。さらに、テスト用被覆部材４をマスク本体部２から離脱させることができるので、装着者２０はフィットテストが完了した状態でテスト用被覆部材４をマスク本体部２から離脱させてただちに使い捨てマスク１を使用できる。これにより、簡易にフィットテストを行えて、低コストで製造できる使い捨てマスク１を提供することができる。
【００３９】
また、この実施の形態においては、テスト用被覆部材４は、フィルム状の部材にてろ過部５の略全面を被覆するように構成されていることにより、テスト用被覆部材４を低コストの材質で形成し、簡易な工程で、ろ過部５をテスト用被覆部材４によって被覆することができる。これにより、より低コストで製造できる使い捨てマスク１を提供することができる。
【００４０】
また、この実施の形態においては、マスク本体部２は、略カップ状に形成されていることにより、テスト用被覆部材４によって被覆する面を凹凸の少ない形状に形成し、マスク本体部２の略全面を、テスト用被覆部材４によって容易に被覆できる。これにより、フィットテストを確実に行うことができる。
【００４１】
なお、この実施の形態においては、防塵用・医療用の使い捨てマスク１において本発明を用いたが、これ以外のマスクに本発明を用いてもよい。例えば、繰り返し使用される防塵用マスクや医療用マスクに本発明の構成を用いてもよい。また、いわゆるサージカルマスクに本発明の構成を用いてもよい。これらのマスクに本発明を用いることで、繰り返し使用される防塵用マスクや医療用マスクやサージカルマスクにおいて、簡易にフィットテストを行えるものを、低コストで製造することができる。
【００４２】
また、この実施の形態においては、ろ過部５の表面をテスト用被覆部材４で覆う構成としたが、ろ過部５の裏面（装着者２０の顔面に対向する側）にテスト用被覆部材４を設ける構成としてもよい。この場合、図１に示す離脱用つまみ１１のように、ろ過部５の外部に突出して、フィットテスト終了後に外部からテスト用被覆部材４をマスク本体部２から離脱させるための構成が設けられていることが望ましい。
【００４３】
また、この実施の形態においては、気密性のあるテスト用被覆部材４でろ過部５の略全面を覆って略気密状態とし、ステップＳ２のフィットテストにおいて、装着者２０がろ過部５の内部への空気の流入状態を検知する構成としたが、テスト用被覆部材４が、ろ過部５を略気密状態に保つ材質に替えて、ろ過部５の通気抵抗を高める材質（即ち、気密性はないが、装着者２０がマスク本体部２を装着して呼吸した際に、装着者２０の呼吸抵抗を高める材質）で形成されていてもよい。また、気密性のある材質で形成されたテスト用被覆部材４が、ろ過部５の一部のみを覆ってろ過部５の通気抵抗を高める構成になっていてもよい。この場合、ろ過部５の通気抵抗が高くなると、装着者２０の顔面とマスク本体部２との間に隙間があった場合、その隙間から空気が流入するときの通気抵抗の方が低くなる。そのため、ステップＳ２のフィットテストにおいては、ろ過部５を略気密状態とした場合と同様に、ろ過部５の内部への空気の流入状態を体感によって確認することで、使い捨てマスク１の装着状態の良否を検知することができる。
【００４４】
また、この実施の形態においては、陰圧式フィットテストを行う使い捨てマスク１に本発明の構成を用いたが、陽圧式フィットテスト、即ち、装着者２０が、使い捨てマスク１等のマスクを装着した状態で、手でマスク本体部２を顔面方向に押さえつけて息を吐き、マスク本体部２の内部から外部への空気の漏出の有無によって使い捨てマスク１等のマスクの装着状体の良否の確認を行う構成の、使い捨てマスク１及び各種マスクに本発明の構成を用いることもできる。
【００４５】
上記実施の形態は本発明の例示であり、本発明が上記実施の形態のみに限定されることを意味するものではないことは、いうまでもない。
【符号の説明】
【００４６】
１・・・使い捨てマスク
２・・・マスク本体部
４・・・テスト用被覆部材
５・・・ろ過部
２０・・・装着者（人体）
【図１】
2015096161.tif 000003
【図２】
2015096161.tif 000004
【図３】
2015096161.tif 000005
【図４】
2015096161.tif 000006